(57)【要約】【課題】本発明は、電子タグ装置及びその通信方法に関する。【解決手段】本発明は、送信するデータが発生した際に、エラーチェックコードを含むデータパケットを伝送し、受信したエラーチェック情報に基づき、エラーが発生した場合に上記データパケットを再伝送する制御器と、上記制御器からデータパケットを受信し、該データパケットに含まれたエラーチェックコードを用いて通信エラーをチェックして、上記エラーチェック情報を上記制御器に伝送するディスプレイと、を含むことができる。【選択図】図１
2014116938.tif 000002
【特許請求の範囲】
【請求項１】
送信するデータが発生した際に、エラーチェックコードを含むデータパケットを伝送し、受信したエラーチェック情報に基づき、エラーが発生した場合に前記データパケットを再伝送する制御器と、
前記制御器からデータパケットを受信し、該データパケットに含まれたエラーチェックコードを用いて通信エラーをチェックして、前記エラーチェック情報を前記制御器に伝送するディスプレイと、を含む、電子タグ装置。
【請求項２】
前記制御器は、マスターとして、スレーブである前記ディスプレイとＳＰＩ（Ｓｅｒｉａｌ  Ｐｅｒｉｐｈｅｒａｌ  Ｉｎｔｅｒｆａｃｅ  ｂｕｓ）通信を行う、請求項１に記載の電子タグ装置。
【請求項３】
前記制御器は、前記データパケットを伝送する前にスレーブ選択ピンをセッティングして、前記ディスプレイのスレーブモードへの進入を制御する、請求項１または２に記載の電子タグ装置。
【請求項４】
前記制御器は、前記データパケットを伝送する前にスレーブ選択ピンをセッティングして、前記ディスプレイのスレーブモードへの進入を制御し、直列クロック信号を前記ディスプレイに伝送する、請求項１から３のいずれか１項に記載の電子タグ装置。
【請求項５】
電子タグ装置の制御器で送信データの発生を判断する段階と、
前記制御器が、送信データが発生したと判断すると、前記電子タグ装置のディスプレイにエラーチェックコードを含むデータパケットを伝送する段階と、
前記ディスプレイが、前記制御器からデータパケットを受信し、該データパケットに含まれたエラーチェックコードを用いて通信エラーをチェックして、前記制御器にエラーチェック情報を伝送する段階と、
前記制御器が、前記ディスプレイから受信した前記エラーチェック情報に基づき、エラーが発生した場合に前記データパケットを再伝送する段階と、を含む、電子タグ装置の通信方法。
【請求項６】
前記制御器は、マスターとして、スレーブである前記ディスプレイとＳＰＩ（Ｓｅｒｉａｌ  Ｐｅｒｉｐｈｅｒａｌ  Ｉｎｔｅｒｆａｃｅ  ｂｕｓ）通信を行う、請求項５に記載の電子タグ装置の通信方法。
【請求項７】
前記データパケットを伝送する段階の前に、
前記制御器はスレーブ選択ピンをセッティングし、該スレーブ選択ピンのセッティングにより前記ディスプレイがスレーブモードに進入する段階と、
前記制御器が直列クロック信号を前記ディスプレイに伝送し、前記ディスプレイが前記直列クロック信号を検知する段階と、をさらに含む、請求項５または６に記載の電子タグ装置の通信方法。
【請求項８】
前記データパケットを再伝送する段階において、前記ディスプレイから受信したエラーチェック情報に基づき、エラーが発生した場合には前記データパケットの再伝送を予め設定された回数だけ繰り返す、請求項５から７のいずれか１項に記載の電子タグ装置の通信方法。
【発明の詳細な説明】
【技術分野】
【０００１】
本発明は、電子タグ装置及びその通信方法に関する。
【背景技術】
【０００２】
通常、電子棚札（ＥＳＬ；Ｅｌｅｃｔｒｏｎｉｃ  Ｓｈｅｌｆ  Ｌａｂｅｌ）システムとは、商品が陳列される場所に設けられ、有線及び無線通信を用いて商品情報を表示するためのシステムのことをいう。このような電子棚札システムでは、価格情報を表示するための複数個のタグ（ＴＡＧ）装置がＰＡＮ（Ｐｅｒｓｏｎａｌ  Ａｒｅａ  Ｎｅｔｗｏｒｋ）に構成され、中継器（ＧＷ；Ｇａｔｅｗａｙ）と無線通信を行う。また、複数の中継器は、サーバー（Ｓｅｒｖｅｒ）と有線通信を行う。
【０００３】
従来、電子タグは、商品関連情報を画面に出力するためのディスプレイと、上記ディスプレイを制御するための制御器と、を含む。上記制御器は、ＭＣＵ（Ｍａｉｎ  Ｃｏｎｔｒｏｌ  Ｕｎｉｔ）からなることができる。
【０００４】
この際、上記制御器は、上記ディスプレイとデータ通信を行って、製品情報をディスプレイを介して出力するように制御する。
【０００５】
しかし、従来の電子タグ装置は、制御器とディスプレイとの間でデータを伝送する際に、様々な通信方式でデータを伝送する。
【０００６】
このような通信方式を用いる制御装置とディスプレイとの間でデータを伝送すると、デジタルデータ破損（Ｅｒｒｏｒ）などの伝送エラーが発生しうるという問題点がある。
【０００７】
このような伝送エラーが発生した場合には、ディスプレイに誤った価格情報が表示される恐れがある。
【０００８】
下記の先行技術文献に記載の特許文献１は、デジタルカメラの圧縮データ格納及び送受信制御方法に関するものであって、装置間の送受信エラーを補正する技術的事項について開示しているが、一つの装置内におけるデータ伝送エラーに関する技術的事項については開示していない。
【先行技術文献】
【特許文献】
【０００９】
【特許文献１】韓国公開特許第１９９８‐００１３２７３号公報
【発明の概要】
【発明が解決しようとする課題】
【００１０】
本発明の課題は、上記の従来技術の問題点を解決することであり、本発明は、制御器とディスプレイとの間の通信エラーをチェックして、通信エラーが発生した際にデータパケットを再伝送する電子タグ装置及びその通信方法を提供する。
【課題を解決するための手段】
【００１１】
本発明の第１技術的側面として、本発明は、送信するデータが発生した際に、エラーチェックコードを含むデータパケットを伝送し、受信したエラーチェック情報に基づき、エラーが発生した場合に上記データパケットを再伝送する制御器と、上記制御器からデータパケットを受信し、該データパケットに含まれるエラーチェックコードを用いて通信エラーをチェックして、上記エラーチェック情報を上記制御器に伝送するディスプレイと、を含む電子タグ装置を提案する。
【００１２】
本発明の第１技術的側面において、上記制御器は、マスターとして、スレーブである上記ディスプレイとＳＰＩ（Ｓｅｒｉａｌ  Ｐｅｒｉｐｈｅｒａｌ  Ｉｎｔｅｒｆａｃｅ  ｂｕｓ）通信を行うことができる。
【００１３】
上記制御器は、上記データパケットを伝送する前にスレーブ選択ピンをセッティングして、上記ディスプレイのスレーブモードへの進入を制御することができる。
【００１４】
上記制御器は、上記データパケットを伝送する前にスレーブ選択ピンをセッティングして、上記ディスプレイのスレーブモードへの進入を制御し、直列クロック信号を上記ディスプレイに伝送することができる。
【００１５】
また、本発明の第２技術的側面として、本発明は、電子タグ装置の制御器で送信データの発生を判断する段階と、上記制御器が、送信データが発生したと判断すると、上記電子タグ装置のディスプレイにエラーチェックコードを含むデータパケットを伝送する段階と、上記ディスプレイが、上記制御器からデータパケットを受信し、該データパケットに含まれたエラーチェックコードを用いて通信エラーをチェックして、上記制御器に上記エラーチェック情報を伝送する段階と、上記制御器が、上記ディスプレイから受信したエラーチェック情報に基づき、エラーが発生した場合に上記データパケットを再伝送する段階と、を含む電子タグ装置の通信方法を提案する。
【００１６】
本発明の第２技術的側面において、上記制御器は、マスターとして、スレーブである上記ディスプレイとＳＰＩ（Ｓｅｒｉａｌ  Ｐｅｒｉｐｈｅｒａｌ  Ｉｎｔｅｒｆａｃｅ  ｂｕｓ）通信を行うことができる。
【００１７】
上記電子タグ装置の通信方法は、データパケットを伝送する段階の前に、上記制御器はスレーブ選択ピンをセッティングし、該スレーブ選択ピンのセッティングにより上記ディスプレイがスレーブモードに進入する段階と、上記制御器が直列クロック信号を上記ディスプレイに伝送し、上記ディスプレイが上記直列クロック信号を検知する段階と、をさらに含むことができる。
【００１８】
上記データパケットを再伝送する段階において、上記ディスプレイから受信したエラーチェック情報に基づき、エラーが発生した場合には上記データパケットの再伝送を予め設定された回数だけ繰り返すことができる。
【発明の効果】
【００１９】
本発明によると、制御器とディスプレイとの間の通信エラーをチェックして、通信エラーが発生した際にデータパケットを再伝送することで、通信エラーによる誤った情報が表示されることを予め防止することができる。
【図面の簡単な説明】
【００２０】
【図１】本発明の実施例による電子棚札システムの概略構成図である。
【図２】本発明の実施例による電子棚札システムの電子タグ装置のブロック図である。
【図３】本発明の実施例による制御器及びディスプレイのＳＰＩ通信を説明するための図である。
【図４】本発明の実施例による電子タグ装置の通信方法のフローチャートである。
【図５】図４の電子タグ装置の通信方法の変形フローチャートである。
【図６】本発明の実施例によるデータパケットの例示図である。
【発明を実施するための形態】
【００２１】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００２２】
図１は本発明の実施例による電子棚札システムの概略構成図である。
【００２３】
図１を参照すると、本発明の実施例による電子棚札システムは、サーバー１０と、中継器２０と、電子タグ装置１００と、からなることができる。
【００２４】
図２は本発明の実施例による電子棚札システムの電子タグ装置のブロック図である。
【００２５】
図２を参照すると、本発明の実施例による電子棚札システムの電子タグ装置は、無線通信部１１０と、制御器１２０と、メモリ１３０と、ディスプレイ１４０と、電源部１５０と、を含むことができる。
【００２６】
上記無線通信部１１０は、上記制御器１２０の制御にしたがって、予め設定された通信規約による無線通信を行うことができる。
【００２７】
上記制御器１２０は、上記無線通信部１１０を介して複数の中継器及びサーバーとの通信を制御し、受信した信号に含まれたデータの画面出力を制御することができる。この際、上記メモリ１３０は、上記制御器１２０により、電子タグ装置の動作中に発生するデータを格納することができる。
【００２８】
上記ディスプレイ１４０は、上記制御器１２０の制御にしたがって、上記データを画面出力することができる。
【００２９】
また、上記電源部１５０は、上記制御器１２０の制御にしたがって、動作電源を供給することができる。
【００３０】
このような電子タグ装置において、上記制御器１２０は、ディスプレイ１４０にデータを伝送する過程で発生しうる通信エラーを確認し、通信エラーが発生した際に再伝送する過程を行うことができる。これについては、以下で詳細に説明する。
【００３１】
上記制御器１２０は、上記ディスプレイ１４０に送信するデータが発生した場合に、上記ディスプレイ１４０との通信が正常であるか否か、エラーが発生したか否かを確認する過程を行う。ここで、上記ディスプレイは、電気泳動ディスプレイ（Ｅｌｅｃｔｒｏ  Ｐｈｏｒｅｔｉｃ  Ｄｉｓｐｌａｙ；ＥＰＤ）であってもよい。
【００３２】
図３は本発明の実施例による制御器及びディスプレイのＳＰＩ通信を説明するための図である。
【００３３】
図１から図３を参照すると、上記制御器１２０は、送信するデータが存在するか否かを判断し、送信するデータが存在する場合には、エラーチェックコードを含むデータパケットを上記ディスプレイ１４０に伝送する。
【００３４】
上記制御器１２０とディスプレイ１４０との間でデータを伝送する際に、様々な通信方式でデータを伝送することができる。例えば、適用可能な通信方式としては、ＳＰＩ（Ｓｅｒｉａｌ  Ｐｅｒｉｐｈｅｒａｌ  Ｉｎｔｅｒｆａｃｅ  ｂｕｓ）、Ｉ２Ｃ（Ｉｎｔｅｒ‐Ｉｎｔｅｇｒａｔｅｄ  Ｃｉｒｃｕｉｔ）、ＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）、ＧＰＩＯ（Ｇｅｎｅｒａｌ  Ｐｕｒｐｏｓｅ  Ｉｎｐｕｔ／Ｏｕｔｐｕｔ）などが挙げられる。一例として、ＳＰＩ通信方式を採用した場合に、上記制御器１２０は、マスターとして、スレーブである上記ディスプレイ１４０とＳＰＩ通信を行うことができる。
【００３５】
ここで、上記ＳＰＩ通信では、上記クロック信号ＳＣＬＫと、マスター出力スレーブ入力（Ｍａｓｔｅｒ  Ｏｕｔｐｕｔ  Ｓｌａｖｅ  Ｉｎｐｕｔ）ＭＯＳＩと、マスター入力スレーブ出力（Ｍａｓｔｅｒ  Ｉｎｐｕｔ  Ｓｌａｖｅ  Ｏｕｔｐｕｔ）ＭＩＳＯと、スレーブ選択（Ｓｌａｖｅ  Ｓｅｌｅｃｔ）ＳＳなど、四つの線路を含むことができる。
【００３６】
上記ディスプレイ１４０は、上記制御器１２０からデータパケットを受信し、上記制御器１２０から受信したデータパケットに含まれたエラーチェックコードを用いて通信エラーをチェックすることができる。この際、上記制御器１２０及び上記ディスプレイ１４０は、既存のエラーチェックプロトコルのいずれか一つを採用することができる。
【００３７】
例えば、本発明において既存のエラーチェックプロトコルのいずれか一つのエラーチェックプロトコルを採用した場合に、送信するデータが発生すると、送信するデータを用いて、採用したエラーチェックプロトコルによりエラーチェックコードを生成する。
【００３８】
上記ディスプレイ１４０では、上記採用したエラーチェックプロトコルにより受信したデータを用いて比較コードを生成し、上記エラーチェックコードと比較コードとを比較し一致するか否かによって通信エラーをチェックすることができる。
【００３９】
この際、上記ディスプレイ１４０は、上述のように通信エラーをチェックして、上記エラーチェック情報を上記制御器１２０に伝送することができる。例えば、上記エラーチェック情報は、通信エラーのない正常な通信状態である場合には「ＡＣＫ」情報を含むことができ、これとは異なり、通信エラーが発生した状態である場合には「ＮＡＣＫ」情報を含むことができる。
【００４０】
次に、上記制御器１２０は、上記ディスプレイ１４０から受信したエラーチェック情報に基づき、エラーが発生した場合に上記データパケットを再伝送することができる。例えば、上記制御器１２０は、上記エラーチェック情報に「ＡＣＫ」情報が含まれている場合には正常通信と認識し、上記エラーチェック情報に「ＮＡＣＫ」情報が含まれている場合には上記データパケットを再伝送することができる。
【００４１】
一方、上記制御器１２０は、上記データパケットを伝送する前にＳＰＩ通信規約によるスレーブ選択ＳＳピンをセッティングして、上記ディスプレイ１４０のスレーブモードへの進入を制御することができる。これにより、上記ディスプレイ１４０は、上記制御器１２０の制御にしたがってスレーブモードに進入することができる。
【００４２】
次に、上記制御器１２０は、ＳＰＩ通信規約による直列クロック信号ＳＣＬＫを上記ディスプレイ１４０に伝送することができる。上記ディスプレイ１４０は、上記制御器１２０からの 前記直列クロック信号ＳＣＬを検知することができる。
【００４３】
図４は本発明の実施例による電子タグ装置の通信方法のフローチャートである。
【００４４】
図１及び図４を参照すると、本発明の実施例による電子タグ装置の通信方法は、電子タグ装置１００の制御器１２０とディスプレイ１４０との間の通信方法である。この際、上記制御器１２０とディスプレイ１４０との間でデータを伝送する際に、様々な通信方式でデータを伝送することができる。例えば、適用可能な通信方式としては、上述のように、ＳＰＩ（Ｓｅｒｉａｌ  Ｐｅｒｉｐｈｅｒａｌ  Ｉｎｔｅｒｆａｃｅ  ｂｕｓ）、Ｉ２Ｃ（Ｉｎｔｅｒ‐Ｉｎｔｅｇｒａｔｅｄ  Ｃｉｒｃｕｉｔ）、ＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）、ＧＰＩＯ（Ｇｅｎｅｒａｌ  Ｐｕｒｐｏｓｅ  Ｉｎｐｕｔ／Ｏｕｔｐｕｔ）などが挙げられる。
【００４５】
まず、段階Ｓ１００では、上記電子タグ装置１００の制御器１２０で送信データの発生を判断することができる。この際、上述のように、ＳＰＩ通信方式を採用すると、上記制御器１２０は、マスターとして、スレーブである上記ディスプレイ１４０とＳＰＩ通信を行うことができる。
【００４６】
段階Ｓ３００では、上記制御器１２０が、送信データが発生したと判断すると、上記電子タグ装置１００のディスプレイ１４０にエラーチェックコードを含むデータパケットを伝送することができる。上記データパケットについては、図６を参照して説明する。
【００４７】
段階Ｓ５００では、上記ディスプレイ１４０が、上記制御器１２０からデータパケットを受信し、該データパケットに含まれたエラーチェックコードを用いて通信エラーをチェックして、上記制御器１２０に上記エラーチェック情報を伝送することができる。ここで、上述のように、本発明の実施例による上記制御器１２０及びディスプレイ１４０は、既存のエラーチェックプロトコルのいずれか一つを採用することができる。
【００４８】
例えば、上記エラーチェック情報は、通信エラーのない正常な通信状態である場合には「ＡＣＫ」情報を含むことができ、これとは異なり、通信エラーが発生した状態である場合には「ＮＡＣＫ」情報を含むことができる。
【００４９】
段階Ｓ７００では、上記制御器１２０が、上記ディスプレイ１４０から受信したエラーチェック情報に基づき、エラーが発生した場合に上記データパケットを再伝送することができる。
【００５０】
例えば、上記制御器１２０は、上記エラーチェック情報に「ＡＣＫ」情報が含まれている場合には正常通信と認識し、上記エラーチェック情報に「ＮＡＣＫ」情報が含まれている場合には上記データパケットを再伝送することができる。
【００５１】
図５は図４の電子タグ装置の通信方法の変形フローチャートである。
【００５２】
図１から図５を参照すると、段階Ｓ２２０では、データパケットを伝送する動作の前に、上記制御器１２０は、スレーブ選択ＳＳピンをセッティングし、該スレーブ選択ピンのセッティングにより上記ディスプレイ１４０がスレーブモードに進入することができる。
【００５３】
次に、段階Ｓ２４０では、上記制御器１２０が直列クロック信号ＳＣＬＫを上記ディスプレイ１４０に伝送し、上記ディスプレイ１４０が上記直列クロック信号ＳＣＬＫを検知することができる。
【００５４】
また、上記段階Ｓ７００では、上記ディスプレイ１４０から受信したエラーチェック情報に基づき、エラーが発生した場合には上記データパケットの再伝送を予め設定された回数だけ繰り返すことができる。ここで、繰り返す回数は、電子棚札システムの特性や通信環境に応じて適宜決定してもよい。
【００５５】
図６は本発明の実施例によるデータパケットの例示図である。図６を参照すると、一例として、本発明の実施例による電子タグ装置にＳＰＩ通信を適用した場合、上記データパケットは、ＯＰコードと、アドレスと、データと、エラーチェックコードと、を含むことができる。
【００５６】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【００５７】
１２０  制御器
１４０  ディスプレイ
【図１】
2014116938.tif 000003
【図２】
2014116938.tif 000004
【図３】
2014116938.tif 000005
【図４】
2014116938.tif 000006
【図５】
2014116938.tif 000007
【図６】
2014116938.tif 000008